(57)【特許請求の範囲】
【請求項１】
音声や映像などの情報が含まれる信号を受信する複数のアンテナと、前記複数のアンテナに対応して設けられるとともに前記情報が含まれる信号を送信している放送局の周波数サーチを行うサーチ手段を備えた複数の受信手段と、を有する受信装置であって、
前記複数のアンテナが、異なる指向性を持つとともに、互いに補完するような指向性を持ち、
前記複数の受信手段のうち一つの受信手段が、前記複数のアンテナが全て接続されるとともに、前記複数のアンテナのうち一つのアンテナを選択するアンテナ選択手段と、受信した信号から前記情報を再生する再生手段と、を備え、
前記アンテナ選択手段を他の受信手段が接続されているアンテナと異なるアンテナが接続されるように選択させるとともに、前記複数の受信手段に対して同じ周波数から同時に前記放送局の周波数サーチを開始させ、予め定めた所定以上の感度で受信した受信手段を検出したときには前記周波数サーチを停止させて、前記一つの受信手段が前記所定以上の感度で受信した受信手段に接続されていたアンテナで受信するように前記アンテナ選択手段に選択させる制御手段を有することを特徴とする受信装置。
【請求項２】
前記サーチ手段が、受信した信号から電界強度を検出することを特徴とする請求項１に記載の受信装置。
【請求項３】
前記制御手段が、前記サーチ手段が検出した電界強度に基づいて前記所定以上の感度を判定することを特徴とする請求項２に記載の受信装置。
【請求項４】
前記制御手段が、複数の受信手段において前記所定以上の感度で受信したと判定した場合は、前記サーチ手段が検出した電界強度が最も強い受信手段が接続されていたアンテナで受信するように前記アンテナ選択手段に選択させることを判定することを特徴とする請求項３に記載の受信装置。
【請求項５】
異なる指向性を持つとともに、互いに補完するような指向性を持った複数のアンテナと、前記複数のアンテナに対応して設けられた複数の受信手段と、を用いて前記アンテナが受信した信号から受信可能な放送局の周波数サーチを行う受信方法であって、
前記複数の受信手段のうち、一つの受信手段を他の受信手段が接続されているアンテナと異なるアンテナが接続されるように選択するとともに、前記複数の受信手段に対して同じ周波数から同時に前記放送局の周波数サーチを開始して、予め定めた所定以上の感度で受信した受信手段を検出したときには前記周波数サーチを停止して、前記一つの受信手段が前記所定以上の感度で受信した受信手段に接続されていたアンテナで受信するように選択して、受信した信号から音声や映像を再生することを特徴とする受信方法。
【発明の詳細な説明】
【技術分野】
【０００１】
本発明は、放送局から送信された音声や映像などが含まれた信号を受信し音声信号や映像信号などに復調・再生して出力する受信装置および受信方法に関する。
【背景技術】
【０００２】
従来のラジオ放送などを受信する受信装置の構成を図１に示す。図１に示した受信装置１００は、アンテナ１０１と、ＲＦ増幅回路１０２と、フロントエンド１０３と、中間周波増幅回路１０４と、検波回路１０５と、ステレオ分離回路１０６と、オーディオアンプ１０７と、スピーカ１０８と、ＰＬＬ回路１０９と、マイコン１１０と、を備えている。
【０００３】
ＲＦ増幅回路１０２は、入力された受信信号の高周波増幅を行いフロントエンド１０３に出力する。
【０００４】
フロントエンド１０３は、ＲＦ増幅回路１０２から入力された希望局の受信信号をＰＬＬ回路１０９からの局部発振信号を用いて搬送波の周波数から一定の周波数（中間周波数）に変換し、中間周波増幅回路１０４に出力する。
【０００５】
中間周波増幅回路１０４は、フロントエンド１０３で中間周波数に変換された信号を検波回路１０５で復調可能なレベルまで増幅し検波回路１０５に出力する。
【０００６】
検波回路１０５は、中間周波数に変換された信号を音声信号に復調してステレオ分離回路１０６に出力する。
【０００７】
ステレオ分離回路１０６は、検波回路１０５から入力された音声信号を右チャンネル（Ｒｃｈ）と左チャンネル（Ｌｃｈ）とに分離して、オーディオアンプ１０７に出力する。
【０００８】
オーディオアンプ１０７は、ステレオ分離回路１０６においてＲｃｈとＬｃｈに分離された音声信号をそれぞれ所定のレベルに増幅する。オーディオアンプ１０７で増幅された音声信号はスピーカ１０８から音声として出力される。
【０００９】
ＰＬＬ回路１０９は、位相同期回路であって、マイコン１１０の指示によりフロントエンド１０３に対して、希望局の受信信号を中間周波数に変換するための局部発振信号を出力する。
【００１０】
マイコン１１０は、図示しないＣＰＵやメモリなどを内蔵したマイクロコンピュータであり、受信装置１００全体の制御および希望局の搬送波周波数を中間周波数に変換するための信号を出力するようにＰＬＬ回路１０９へ指示する。
【００１１】
上述した構成の受信装置１００は、例えば車両などにラジオ受信機として搭載され、使用者の操作などによって受信できる放送局を検索する周波数サーチ動作が行われると、マイコン１１０がＰＬＬ回路１０９から出力する局部発振信号を変更して中間周波増幅回路１０４に出力し、中間周波増幅回路１０４では中間周波数に変換された信号から受信した電界の強度を表す信号であるＳメータ信号を生成してマイコン１１０に出力し、マイコン１１０ではＳメータ信号レベルが所定の大きさ以上であれば放送局を受信したと判断して、ＰＬＬ回路１０９から出力する局部発振信号を固定し周波数サーチを停止させる。こうして使用者は受信できる放送局を選局することができる。
【００１２】
車両などに搭載されるラジオ受信機用のアンテナとしては無指向性のポールアンテナなどや指向性を持つプリントアンテナなどがある。ポールアンテナは無指向性のためどの方向からでも受信可能であるが反面マルチパスに弱いという欠点があるために、近年マルチパスに強い指向性を持ったプリントアンテナを用いることが多くなってきている。
【００１３】
指向性を持つアンテナ（プリントアンテナなど）は、その指向性のために、受信できる放送局のサーチ動作を行った際に本来受信できるはずであっても電波の入射方向によっては受信感度が十分でないと判断され選局できない、つまりサーチストップせずに取りこぼしてしまうことがあった。
【００１４】
このような問題に対しては、アンテナの感度を下げたり、例えば特許文献１に記載の車載デジタル通信受信装置などのように、アンテナを複数設けて受信感度が良い方のアンテナに切り替えるような方法が提案されている。特許文献１に記載の車載デジタル通信受信装置は、受信電力情報や誤り率情報に基づいて複数のアンテナを切り替えている。
【特許文献１】特開２００３−２８３４０５号公報
【発明の開示】
【発明が解決しようとする課題】
【００１５】
しかしながら、アンテナの感度を下げると、雑音などが多く受信品質が悪い状態でもサーチストップしてしまい音質が悪化してしまう。また、特許文献１に記載の車載デジタル通信受信装置などのようにアンテナを複数設けただけでは、周波数サーチによる周波数変更とアンテナ切り替えを同時に行った場合は切り替えたアンテナの指向性に依存してしまうことから受信感度が得られずにサーチストップしないことがある。また、一つの周波数において複数のアンテナを切り替えながら周波数サーチを行うと、周波数サーチに時間がかかってしまい使い勝手が悪くなってしまうという問題があった。
【００１６】
そこで、本発明は、例えば、周波数サーチを行った際に受信可能な放送局を良好な受信品質で確実に選局することができる受信装置および受信方法を提供することを課題とする。
【課題を解決するための手段】
【００１７】
上記課題を解決するために、請求項１に記載の受信装置は、音声や映像などの情報が含まれる信号を受信する複数のアンテナと、前記複数のアンテナに対応して設けられるとともに前記情報が含まれる信号を送信している放送局の周波数サーチを行うサーチ手段を備えた複数の受信手段と、を有する受信装置であって、前記複数のアンテナが、異なる指向性を持つとともに、互いに補完するような指向性を持ち、前記複数の受信手段のうち一つの受信手段が、前記複数のアンテナが全て接続されるとともに、前記複数のアンテナのうち一つのアンテナを選択するアンテナ選択手段と、受信した信号から前記情報を再生する再生手段と、を備え、前記アンテナ選択手段を他の受信手段が接続されているアンテナと異なるアンテナが接続されるように選択させるとともに、前記複数の受信手段に対して同じ周波数から同時に前記放送局の周波数サーチを開始させ、予め定めた所定以上の感度で受信した受信手段を検出したときには前記周波数サーチを停止させて、前記一つの受信手段が前記所定以上の感度で受信した受信手段に接続されていたアンテナで受信するように前記アンテナ選択手段に選択させる制御手段を有することを特徴としている。
【００１８】
請求項５に記載の受信方法は、異なる指向性を持つとともに、互いに補完するような指向性を持った複数のアンテナと、前記複数のアンテナに対応して設けられた複数の受信手段と、を用いて前記アンテナが受信した信号から受信可能な放送局の周波数サーチを行う受信方法であって、前記複数の受信手段のうち、一つの受信手段を他の受信手段が接続されているアンテナと異なるアンテナが接続されるように選択するとともに、前記複数の受信手段に対して同じ周波数から同時に前記放送局の周波数サーチを開始して、予め定めた所定以上の感度で受信した受信手段を検出したときには前記周波数サーチを停止して、前記一つの受信手段が前記所定以上の感度で受信した受信手段に接続されていたアンテナで受信するように選択して、受信した信号から音声や映像を再生することを特徴としている。
【発明を実施するための最良の形態】
【００１９】
以下、本発明の一実施形態にかかる受信装置を説明する。本発明の一実施形態にかかる受信装置は、異なる指向性を持つとともに、互いに補完するような指向性を持つ複数のアンテナと、その複数のアンテナに対応して設けられた複数の受信手段に対して、制御手段が、アンテナ選択手段を他の受信手段が接続されているアンテナと異なるアンテナが接続されるように選択させるとともに、複数の受信手段に対して同じ周波数から同時に放送局の周波数サーチを開始させ、予め定めた所定以上の感度で受信した受信手段を検出したときには周波数サーチを停止させて、一つの受信手段が所定以上の感度で受信した受信手段に接続されていたアンテナで受信するようにアンテナ選択手段に選択させるので、指向性の強いアンテナを用いることでマルチパスに強く、また、異なる指向性を持つとともに互いの指向性を補完するような複数のアンテナを用いるので、どの方向から放送波が入射されても確実に受信可能な放送局を選局することができる。また、所定以上の感度で受信することで、良好な受信状態とする感度を設定することができる。さらに、複数の受信手段を同時に動作させて受信可能な放送局の周波数サーチを行っているので、周波数サーチ処理を従来と同等の時間で確実に選局することができる。
【００２１】
また、サーチ手段が、受信した信号から電界強度を検出するようにしてもよい。このようにすることにより、放送局をサーチ中の電界強度を検出することができるので、各受信手段の受信状態を容易に把握することができる。
【００２２】
また、制御手段が、サーチ手段が検出した電界強度に基づいて所定以上の感度を判定してもよい。このようにすることにより、サーチ中の電界強度が強いときに放送局を受信したと判定することができる。
【００２３】
また、制御手段が、複数の受信手段において所定以上の感度で受信した場合は、サーチ手段が検出した電界強度が最も強い受信手段が接続されていたアンテナで受信するように前記アンテナ選択手段に選択させてもよい。このようにすることにより、より強い電界強度で放送局を受信することができ、よりノイズの少ない良好な受信状態とすることができる。
【００２４】
本発明の一実施形態にかかる受信方法は、異なる指向性を持つとともに、互いに補完するような指向性を持つ複数のアンテナと、その複数のアンテナに対応して設けられた複数の受信手段のうち、一つの受信手段を他の受信手段が接続されているアンテナと異なるアンテナが接続されるように選択するとともに、複数の受信手段に対して同じ周波数から同時に放送局の周波数サーチを開始して、予め定めた所定以上の感度で受信した受信手段を検出したときには周波数サーチを停止して、一つの受信手段が所定以上の感度で受信した受信手段に接続されていたアンテナで受信するように選択して、受信した信号から音声や映像を再生しているので、指向性の強いアンテナを用いることでマルチパスに強く、また、異なる指向性を持つとともに互いの指向性を補完するような複数のアンテナを用いるので、どの方向から放送波が入射されても確実に受信可能な放送局を選局することができる。また、所定以上の感度で受信することで、良好な受信状態とする感度を設定することができる。さらに、複数の受信手段を同時に動作させて受信可能な放送局の周波数サーチを行っているので、周波数サーチ処理を従来と同等の時間で確実に選局することができる。
【実施例】
【００２５】
本発明の一実施例を、図２乃至図４を参照して説明する。本発明の一実施例にかかる受信装置１は、アンテナ２と、アンテナ分配回路３と、メインチューナ４と、スピーカ５と、サブチューナ６と、を備え、例えば車両に取り付けられラジオ放送を受信する装置である。
【００２６】
アンテナ２は、放送局などから送信されてくる音声などの情報が含まれる信号を受信し、メインアンテナ２ａとサブアンテナ２ｂの２つのアンテナから構成されている。メインアンテナ２ａとサブアンテナ２ｂの指向性を図３に示す。図３はアンテナ２の上方から見た指向性の特性図であり、メインアンテナ２ａは図３（ａ）、サブアンテナ２ｂは図３（ｂ）に示すようになっている。つまり、図３によれば、メインアンテナ２ａは斜め方向の指向性を持ち、サブアンテナ２ｂは前後左右方向の指向性を持っている。すなわち、メインアンテナ２ａとサブアンテナ２ｂは互いの指向性を補完するような特性を持っている。
【００２７】
アンテナ分配回路３は、メインアンテナ２ａが受信した信号をメインチューナ４へ出力し、サブアンテナ２ｂが受信した信号をメインチューナ４とサブチューナ６へ分配する。
【００２８】
一つの受信手段としてのメインチューナ４は、アンテナ切替回路４ａと、ＲＦ増幅回路４ｂと、フロントエンド４ｃと、ＰＬＬ回路４ｄと、中間周波増幅回路４ｅと、検波回路４ｆ、ステレオ分離回路４ｇと、オーディオアンプ４ｈと、を備えている。
【００２９】
アンテナ選択手段としてのアンテナ切替回路４ａは、アンテナ分配回路３から出力されたメインアンテナ２ａとサブアンテナ２ｂとがそれぞれ受信した信号を後述するマイコン７によって切り替えて、ＲＦ増幅回路４ｂへ出力する。すなわち、複数のアンテナが全て接続されるとともに、複数のアンテナのうち一つのアンテナを選択している。
【００３０】
ＲＦ増幅回路４ｂは、入力された受信信号（高周波信号）に高周波増幅を行いＲＦ信号としてフロントエンド４ｃに出力する。
【００３１】
サーチ手段としてのフロントエンド４ｃは、ＲＦ増幅回路４ｂから入力されたＲＦ信号を、ＰＬＬ回路４ｄから入力される局部発振信号を用いて搬送波の周波数から一定の周波数（中間周波数）に変換し、中間周波増幅回路４ｅに出力する。
【００３２】
サーチ手段としてのＰＬＬ回路４ｄは、位相同期回路であって、マイコン７の指示によりフロントエンド４ｃに対して、希望局の受信信号を中間周波数に変換するための局部発振信号を出力する。
【００３３】
サーチ手段としての中間周波増幅回路４ｅは、フロントエンド４ｃで中間周波数に変換された信号を検波回路４ｆで復調可能なレベルまで増幅し検波回路４ｆに出力する。また、中間周波増幅回路４ｅは、中間周波数に変換された信号から受信した信号の電界強度を表す信号であるＳメータ信号（ＳＬ１）を生成してマイコン７に出力する。
【００３４】
再生手段としての検波回路４ｆは、中間周波数に変換された信号を音声信号に復調してステレオ分離回路４ｇに出力する。
【００３５】
再生手段としてのステレオ分離回路４ｇは、検波回路４ｆから入力された音声信号を右チャンネル（Ｒｃｈ）と左チャンネル（Ｌｃｈ）とに分離して、オーディオアンプ４ｈに出力する。すなわち、検波回路４ｆおよびステレオ分離回路４ｇで受信した信号から音声などの情報を再生している。
【００３６】
オーディオアンプ４ｈは、ステレオ分離回路４ｇにおいてＲｃｈとＬｃｈに分離された信号をそれぞれ所定のレベルに増幅する。オーディオアンプ４ｈで増幅された音声信号はスピーカ５から音声として出力される。
【００３７】
他の受信手段としてのサブチューナ６は、ＲＦ増幅回路６ｂと、フロントエンド６ｃと、ＰＬＬ回路６ｄと、中間周波増幅回路６ｅと、を備えている。
【００３８】
ＲＦ増幅回路６ｂは、入力された受信信号（高周波信号）に高周波増幅を行いＲＦ信号としてフロントエンド６ｃに出力する。
【００３９】
サーチ手段としてのフロントエンド６ｃは、ＲＦ増幅回路６ｂから入力されたＲＦ信号を、ＰＬＬ回路６ｄから入力される局部発振信号を用いて搬送波の周波数から一定の周波数（中間周波数）に変換し、中間周波増幅回路６ｅに出力する。
【００４０】
サーチ手段としてのＰＬＬ回路６ｄは、位相同期回路であって、マイコン７の指示によりフロントエンド６ｃに対して、希望局の受信信号を中間周波数に変換するための局部発振信号を出力する。
【００４１】
サーチ手段としての中間周波増幅回路６ｅは、中間周波数に変換された信号から受信した信号の電界強度を表す信号であるＳメータ信号（ＳＬ２）を生成してマイコン７に出力する。
【００４２】
なお、上述したように、ＲＦ増幅回路４ｂおよび６ｂ、フロントエンド４ｃおよび６ｃ、ＰＬＬ回路４ｄおよび６ｄ、中間周波増幅回路４ｅおよび６ｅは、それぞれ同じ回路構成である。
【００４３】
制御手段としてのマイコン７は、図示しないＣＰＵやメモリなどを内蔵したマイクロコンピュータであり、受信装置１全体の制御およびＰＬＬ回路４ｄ、６ｄへ周波数サーチや希望局の受信などのために局部発振信号の変更などを指示することおよび周波数サーチ時に中間周波増幅回路４ｅ、６ｅから出力されたＳメータ信号に基づいて、アンテナ切替回路４ａにアンテナの選択を行わせる。
【００４４】
次に、上述した構成の受信装置１において、放送局の周波数サーチ動作（受信可能な放送局を検索して選局する動作）について図４に示したフローチャートを参照して説明する。図４に示したフローチャートはマイコン７のＣＰＵが実行する。
【００４５】
まず、ステップＳ１において、サブチューナ６をメインチューナ４と同じ受信周波数にセットし、メインチューナ４のアンテナ切替回路４ａをメインアンテナが選択されるように設定してステップＳ２に進む。つまり、ＰＬＬ回路４ｄ、６ｄの局部発振信号の周波数を同一にする。すなわち、アンテナ選択手段を他の受信手段が接続されているアンテナと異なるアンテナが接続されるように選択させているとともに、複数の受信手段に対して同じ周波数から同時に放送局の周波数サーチを開始させている。
【００４６】
次に、ステップＳ２において、メインチューナ４とサブチューナ６を同時にサーチスタートさせステップＳ３に進む。具体的には、まず、ＰＬＬ回路４ｄ、６ｄに対してステップＳ１で設定した局部発振信号の周波数を同じステップで変化させる。そうすると、周波数ステップごとのＳメータ信号が出力される。局部発振信号の変化させるステップは放送局間の周波数よりも十分に小さいほうが望ましい、また、アナログ的に連続して変化させてもよい。
【００４７】
次に、ステップＳ３において、メインチューナ４とサブチューナ６が同時にサーチストップしたか否かを判断して、サーチストップした場合（ＹＥＳの場合）はステップＳ４に進み、そうでない場合（ＮＯの場合）はステップＳ７に進む。サーチストップしたか否かは、中間周波増幅回路４ｅ、６ｅが出力したＳメータ信号（ＳＬ１，ＳＬ２）のレベルが予め定めた所定以上のレベルであったか否かで判断する。Ｓメータ信号（ＳＬ１，ＳＬ２）のレベルが予め定めた所定以上のレベルであった場合は放送局を受信したとしてサーチ動作を停止させる。すなわち、サーチ手段が検出した電界強度に基づいて所定以上の感度を判定している。
【００４８】
次に、ステップＳ４において、メインチューナ４のＳメータ信号（ＳＬ１）と、サブチューナ６のＳメータ信号（ＳＬ２）とを比較しステップＳ５に進む。つまり、ＳＬ１のレベルとＳＬ２のレベルとを比較する。
【００４９】
次に、ステップＳ５において、ＳＬ１のレベルがＳＬ２のレベル以上の場合（ＹＥＳの場合）は、メインチューナ４はそのままメインアンテナ２ａで受信した信号を復調してスピーカ５から音声を出力させる。ＳＬ１のレベルがＳＬ２未満の場合（ＮＯの場合）は、ステップＳ６に進む。
【００５０】
次に、ステップＳ６において、メインチューナ４のアンテナ切替回路４ａにサブアンテナ２ｂを選択させて、サブアンテナ２ｂで受信した信号を復調してスピーカ５から音声を出力させる。すなわち、ステップＳ５、Ｓ６では、複数の受信手段において所定以上の感度で受信したと判定した場合は、サーチ手段が検出した電界強度が最も強い受信手段が接続されていたアンテナで受信するようにアンテナ選択手段に選択させている。
【００５１】
ステップＳ７においては、メインチューナ４がサーチストップしたか否かを判断して、サーチストップした場合（ＹＥＳの場合）はメインチューナ４はそのままメインアンテナ２ａで受信した信号を復調してスピーカ５から音声を出力させる。サーチストップしない場合（ＮＯの場合）はステップＳ８に進む。サーチストップしたか否かは、ステップＳ３と同様に中間周波増幅回路４ｅが出力したＳメータ信号（ＳＬ１）のレベルが予め定めた所定以上のレベルであったか否かで判断する。Ｓメータ信号（ＳＬ１）のレベルが予め定めた所定以上のレベルであった場合は放送局を受信したとしてサーチストップする。すなわち、サーチ手段が検出した電界強度に基づいて所定以上の感度を判定し、所定以上の感度で受信した受信手段を検出したときには周波数サーチを停止させて、一つの受信手段が所定以上の感度で受信した受信手段に接続されていたアンテナで受信するようにアンテナ選択手段に選択させている。
【００５２】
次に、ステップＳ８において、サブチューナ６がサーチストップしたか否かを判断して、サーチストップした場合（ＹＥＳの場合）はステップＳ９に進み、サーチストップしない場合（ＮＯの場合）はステップＳ３に戻る。サーチストップしたか否かは、ステップＳ３やＳ７と同様に中間周波増幅回路６ｅが出力したＳメータ信号（ＳＬ２）のレベルが予め定めた所定以上のレベルであったか否かで判断する。Ｓメータ信号（ＳＬ２）のレベルが予め定めた所定以上のレベルであった場合は放送局を受信したとしてサーチ動作を停止させる。すなわち、サーチ手段が検出した電界強度に基づいて所定以上の感度で受信した受信手段を検出したときには周波数サーチを停止させている。
【００５３】
次に、ステップＳ９において、メインチューナ４のアンテナ切替回路４ａにサブアンテナ２ｂを選択させて、サブアンテナ２ｂで受信した信号を復調してスピーカ５から音声を出力させる。すなわち、一つの受信手段が所定以上の感度で受信した受信手段に接続されていたアンテナで受信するようにアンテナ選択手段に選択させている。
【００５４】
本実施例によれば、アンテナとして互いに指向性を補完するようなメインアンテナ２ａとサブアンテナ２ｂを設け、メインアンテナ２ａとサブアンテナ２ｂが受信した信号が入力されてどちらか一方に切り替えるアンテナ切替回路４ａと、受信した信号から中間周波数に変換してＳメータ信号を生成・出力するフロントエンド４ｃやＰＬＬ回路４ｄおよび中間周波増幅回路４ｅと、アンテナから入力された信号を復調・再生する検波回路４ｆおよびステレオ分離回路４ｇと、を備えたメインチューナ４と、サブアンテナ２ｂのみが接続されて、受信した信号から中間周波数に変換してＳメータ信号を生成・出力するフロントエンド６ｃやＰＬＬ回路６ｄおよび中間周波増幅回路６ｅを備えたサブチューナ６を、マイコン７が、メインアンテナ２ａでメインチューナ４に受信させ、サブアンテナ２ｂでサブチューナ６に受信させている状態で、同じ受信周波数から同時に周波数サーチを行わせ、周波数サーチが停止したチューナが受信していたアンテナ２ａまたは２ｂにメインチューナ４のアンテナとして切り替えるようにしているので、マルチパスに強く、また、どの方向から放送波が入射されても確実に受信可能な放送局を選局することができる。さらに、複数のチューナを同時に動作させて受信可能な放送局の周波数サーチを行っているので、周波数サーチ処理を従来と同等の時間かつ確実に選局することができる。
【００５５】
また、所定以上のＳメータ信号レベルを検出することでサーチ停止を行っているので、良好な受信状態とする感度を設定することができる。
【００５６】
また、メインチューナ４とサブチューナ６とで同時にサーチが停止した場合は、Ｓメータ信号レベルが強い方のアンテナで受信することで、よりノイズの少ない良好な受信状態とすることができる。
【００５７】
なお、上述した実施例ではアンテナは２本であったが、３本以上設けても良い。３本の場合は、メインチューナ４にはアンテナ分配回路３から３本の信号線が入力され、３本目のアンテナに対応するサブチューナが新たに追加される。新たに追加されるサブチューナはサブチューナ６と同じ構成である。また、アンテナを多くする場合は、より指向性の鋭いアンテナを用いることができるために、マルチパスに対してさらに強くすることができる。
【００５８】
また、上述した実施例ではＦＭラジオチューナの構成で説明したが、ＦＭラジオに限らず、ＡＭラジオやアナログテレビおよびデジタルテレビのチューナなどにも適用することができる。要するに、互いの指向性を補完するような複数のアンテナと、音声や映像などの情報が含まれた信号を受信して再生するチューナが少なくとも１つあって、他に少なくとも電界強度を示す信号が得られるチューナがアンテナの本数からメインチューナの分を除いたアンテナの本数分あれば良い。
【００５９】
前述した実施例によれば、以下の受信装置１および受信方法が得られる。
【００６０】
（付記１）音声や映像などの情報が含まれる信号を受信するメインアンテナ２ａ、サブアンテナ２ｂと、メインアンテナ２ａ、サブアンテナ２ｂに対応して設けられるとともに情報が含まれる信号を送信している放送局の周波数サーチを行うフロントエンド４ｃ、ＰＬＬ回路４ｄ、中間周波増幅回路４ｅおよびフロントエンド６ｃ、ＰＬＬ回路６ｄ、中間周波増幅回路６ｅを備えたメインチューナ４およびサブチューナ６と、を有する受信装置１であって、
メインアンテナ２ａ、サブアンテナ２ｂは、異なる指向性を持つとともに、互いに補完するような指向性を持ち、
メインチューナ４が、メインアンテナ２ａ、サブアンテナ２ｂが全て接続されるとともに、メインアンテナ２ａ、サブアンテナ２ｂのうち一つのアンテナを選択するアンテナ切替回路４ａと、受信した信号から情報を再生する検波回路４ｆおよびステレオ分離回路４ｇと、を備え、
アンテナ切替回路４ａをサブチューナ６が接続されているサブアンテナ２ｂと異なるメインアンテナ２ａが接続されるように選択させるとともに、メインチューナ４およびサブチューナ６に対して同じ周波数から同時に放送局の周波数サーチを開始させ、予め定めた所定以上の感度で受信したメインチューナ４またはサブチューナ６を検出したときには周波数サーチを停止させて、メインチューナ４が所定以上の感度で受信したメインチューナ４またはサブチューナ６に接続されていたメインアンテナ２ａまたはサブアンテナ２ｂで受信するようにアンテナ切替回路４ａに選択させるマイコン７を有することを特徴とする受信装置１。
【００６１】
この受信装置１によれば、指向性の強いメインアンテナ２ａ、サブアンテナ２ｂを用いることでマルチパスに強く、また、異なる指向性を持つとともに互いの指向性を補完するようなメインアンテナ２ａ、サブアンテナ２ｂを用いるので、どの方向から放送波が入射されても確実に受信可能な放送局を選局することができる。また、所定以上のＳメータ信号レベルで受信することで、良好な受信状態とする感度を設定することができる。さらに、メインチューナ４およびサブチューナ６を同時に動作させて受信可能な放送局の周波数サーチを行っているので、周波数サーチ処理を従来と同等の時間で確実に選局することができる。
【００６２】
（付記２）異なる指向性を持つとともに、互いに補完するような指向性を持ったメインアンテナ２ａ、サブアンテナ２ｂと、メインアンテナ２ａ、サブアンテナ２ｂに対応して設けられたメインチューナ４、サブチューナ６と、を用いてメインアンテナ２ａ、サブアンテナ２ｂが受信した信号から受信可能な放送局の周波数サーチを行う受信方法であって、
メインチューナ４、サブチューナ６のうち、メインチューナ４をサブチューナ６が接続されているサブアンテナ２ｂと異なるメインアンテナ２ａが接続されるように選択するとともに、メインチューナ４、サブチューナ６に対して同じ周波数から同時に放送局の周波数サーチを開始して、予め定めた所定以上の感度で受信したメインチューナ４またはサブチューナ６を検出したときには周波数サーチを停止して、メインチューナ４が所定以上の感度で受信したメインチューナ４またはサブチューナ６に接続されていたメインアンテナ２ａまたはサブアンテナ２ｂで受信するように選択して、受信した信号から音声や映像を再生することを特徴とする受信方法。
【００６３】
この受信方法によれば、指向性の強いメインアンテナ２ａ、サブアンテナ２ｂを用いることでマルチパスに強く、また、異なる指向性を持つとともに、互いの指向性を補完するようなメインアンテナ２ａ、サブアンテナ２ｂを用いるので、どの方向から放送波が入射されても確実に受信可能な放送局を選局することができる。また、所定以上のＳメータ信号レベルで受信することで、良好な受信状態とする感度を設定することができる。さらに、メインチューナ４およびサブチューナ６を同時に動作させて受信可能な放送局の周波数サーチを行っているので、周波数サーチ処理を従来と同等の時間で確実に選局することができる。
【００６４】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００６５】
【図１】従来技術における受信装置のブロック図である。
【図２】本発明の一実施例にかかる受信装置のブロック図である。
【図３】図２に示されたアンテナの指向性を示す特性図である。
【図４】図２に示された受信装置の放送局のサーチ動作を示したフローチャートである。
【符号の説明】
【００６６】
１        受信装置
２ａ      メインアンテナ
２ｂ      サブアンテナ
４        メインチューナ
４ａ      アンテナ切替回路（アンテナ選択手段）
４ｃ      フロントエンド（サーチ手段）
４ｄ      ＰＬＬ回路（サーチ手段）
４ｅ      中間周波増幅回路（サーチ手段）
４ｆ      検波回路（再生手段）
４ｇ      ステレオ分離回路（再生手段）
６        サブチューナ
６ｃ      フロントエンド（サーチ手段）
６ｄ      ＰＬＬ回路（サーチ手段）
６ｅ      中間周波増幅回路（サーチ手段）
７        マイコン（制御手段）
【図１】
0004800279.tif 000002
【図２】
0004800279.tif 000003
【図３】
0004800279.tif 000004
【図４】
0004800279.tif 000005